(57)【要約】【課題】水受け部材の着脱が容易で、かつ確実に取付けることができると共に製造コストを低廉に抑えることができる。【解決手段】水受け部材５４は、弾性変形可能な材料から形成されると共に、取付板３６ａに突設した一対の被係合部５２,５２に係脱可能な一対の係合部５６,５６を備える。係合部５６は、被係合部５２が収容される収容部５６ａと、収容部５６ａに連通すると共に他方の係合部５６側に偏倚して開放する開口部５６ｂと、開口部５６ｂにおける他方の係合部５６から離間側の縁部を構成し、収容部５６ａに被係合部５２を収容した際に該被係合部５２に係合する係合縁部５６ｃとを有する。開口部５６ｂは、水受け部材５４を弾性変形することで拡開し、拡開した開口部５６ｂを介して収容部５６ａに対する被係合部５２の挿脱が可能となる。【選択図】図１
2008202837.tif 000002
【特許請求の範囲】
【請求項１】
物品の収納室(22)の内部に配設された取付部材(36a)に、結露水や除霜水等の水を受容する水受け部材(54)を着脱自在に配設した冷蔵ショーケースにおいて、
前記水受け部材(54)は、弾性変形可能な材料から形成されると共に、前記取付部材(36a)に突設した一対の被係合部(52,52)に係脱可能な一対の係合部(56,56)を備え、
前記各係合部(56)は、前記被係合部(52)が収容される収容部(56a)と、該収容部(56a)に連通すると共に他方の係合部(56)側に偏倚して開放する開口部(56b)と、この開口部(56b)における他方の係合部(56)から離間する側の縁部を構成し、収容部(56a)に被係合部(52)を収容した際に該被係合部(52)に係合する係合縁部(56c)とを有し、
前記開口部(56b)は、前記水受け部材(54)を弾性変形することで拡開し、拡開した開口部(56b)を介して前記収容部(56a)に対する被係合部(52)の挿脱が可能となるよう構成した
ことを特徴とする冷蔵ショーケース。
【請求項２】
前記水受け部材(54)は、前記係合部(56)が上端部に設けられた取付部(54a)と、該取付部(54a)の下端に設けられて水を受容する水受部(54b)とからなり、前記各係合部(56)の開口部(56b)は、取付部(54a)における長手方向の中央に向けて斜めに開放している請求項１記載の冷蔵ショーケース。
【発明の詳細な説明】
【技術分野】
【０００１】
この発明は、飲食店等のカウンタに設置されて、収納した物品を展示しつつ冷蔵する冷蔵ショーケースに関するものである。
【背景技術】
【０００２】
食品や飲料品等の物品を冷蔵保存する冷蔵ショーケースとしては、例えば寿司屋等のカウンタに設置され、収納した寿司ネタ等の生鮮食材を展示しながら冷蔵保存するネタケースと呼ばれるものがある(特許文献１参照)。このネタケースは、物品を冷蔵保存する収納室の内部上方に配設した冷却プレートの上面に、冷却装置に接続する冷却器が接触するよう配設され、該冷却器に冷媒を循環供給して冷却プレートを冷却することで、収納室を間接的に冷却している。またネタケースでは、前記冷却プレートの後端側に水受け部材を配設し、冷却プレートの下面(冷却面)に生じた結露水や、該冷却面に付着した霜を溶かした除霜水等を水受け部材で受けるよう構成されている。
【０００３】
図６に示す如く、前記水受け部材１０は、上下方向に延在する取付部１０ａと、該取付部１０ａの下端から前側に向けて延出する水受部１０ｂとから構成され、該水受け部材１０の取付部１０ａを冷却プレート１２の後端部に取付けることで、水受部１０ｂが冷却プレート１２の下方に臨むようになっている。冷却プレート１２の後端縁には、上方に延出する取付板１２ａが設けられ、該取付板１２ａの複数箇所に、後方に向かうにつれて直径が大きくなる被係合突起１４が突設されている。また水受け部材１０の取付部１０ａには、各被係合突起１４と対応する位置に、上方に開放する係合部１６が夫々形成され、これら係合部１６を対応する被係合突起１４に係合することで、冷却プレート１２に水受け部材１０が取付けられるよう構成される。
【０００４】
前記係合部１６は、図７に示す如く、被係合突起１４における小径部１４ａが収容可能な内径寸法に設定された係合孔部１６ａと、該係合孔部１６ａから上部開口までの間に形成され、前記小径部１４ａの直径より小さな離間間隔で対向する係合突部１６ｂ,１６ｂとから構成される。そして、被係合突起１４に対して下側から近接させた係合部１６における係合突部１６ｂ,１６ｂの間に、該被係合突起１４を強制的に通過させて係合孔部１６ａに収容することで、被係合突起１４の上側に係合突部１６ｂ,１６ｂが係合した状態で、冷却プレート１２に水受け部材１０が取付けられる。また、水受け部材１０を冷却プレート１２から取外す際には、被係合突起１４を、水受け部材１０の係合突部１６ｂ,１６ｂの間を強制的に通過させて離脱させることにより行なわれる。
【特許文献１】特開平１１−１０１５５８号公報
【発明の開示】
【発明が解決しようとする課題】
【０００５】
前述した水受け部材１０では、係合突部１６ｂ,１６ｂの離間間隔が狭いと、被係合突起１４を通過させるのに大きな力が必要となり、水受け部材１０の冷却プレート１２に対する着脱作業が困難となる。また、逆に係合突部１６ｂ,１６ｂの離間間隔が広いと、水受け部材１０を頻繁に着脱することで該係合突部１６ｂ,１６ｂが摩耗した場合は、被係合突起１４に対する係合突部１６ｂ,１６ｂの係合代が小さくなり、水受け部材１０が脱落してしまうおそれがある。
【０００６】
すなわち、前記係合突部１６ｂ,１６ｂの成形に際して高い寸法精度が必要となり、製造コストが嵩む原因となっている。更に、各係合部１６における係合突部１６ｂ,１６ｂが高い寸法精度で成形されていたとしても、一対の被係合突起１４,１４の離間間隔に対する一対の係合部１６,１６の離間間隔の寸法誤差が大きければ、被係合突起１４に対する係合突部１６ｂ,１６ｂの位置が変わってしまうことから、一対の係合部１６,１６の離間間隔についても高い寸法精度とすることが求められており、コスト上昇の原因となっていた。
【０００７】
すなわちこの発明は、従来の技術に内在する前記課題に鑑み、これらを好適に解決するべく提案されたものであって、水受け部材の着脱が容易で、かつ確実に取付けることができると共に製造コストを低廉に抑えることができる冷蔵ショーケースを提供することを目的とする。
【課題を解決するための手段】
【０００８】
前記課題を克服し、所期の目的を好適に達成するため、本願の請求項１の発明に係る冷蔵ショーケースは、
物品の収納室の内部に配設された取付部材に、結露水や除霜水等の水を受容する水受け部材を着脱自在に配設した冷蔵ショーケースにおいて、
前記水受け部材は、弾性変形可能な材料から形成されると共に、前記取付部材に突設した一対の被係合部に係脱可能な一対の係合部を備え、
前記各係合部は、前記被係合部が収容される収容部と、該収容部に連通すると共に他方の係合部側に偏倚して開放する開口部と、この開口部における他方の係合部から離間する側の縁部を構成し、収容部に被係合部を収容した際に該被係合部に係合する係合縁部とを有し、
前記開口部は、前記水受け部材を弾性変形することで拡開し、拡開した開口部を介して前記収容部に対する被係合部の挿脱が可能となるよう構成したことを特徴とする。
請求項１の発明によれば、水受け部材を弾性変形して開口部を拡開することで、被係合部に対して係合部を着脱し得るよう構成したから、係合部における係合縁部の位置や一対の係合部の離間間隔を、高い寸法精度で形成しなくても、取付部材に対して水受け部材をを確実に取付けると共に、簡単に取外すこともできる。すなわち、水受け部材の成形に際して高い寸法精度を必要としないから、該水受け部材の製造コストを低廉に抑えることができる。
【０００９】
請求項２の発明では、前記水受け部材は、前記係合部が上端部に設けられた取付部と、該取付部の下端に設けられて水を受容する水受部とからなり、前記各係合部の開口部は、取付部における長手方向の中央に向けて斜めに開放していることを要旨とする。
請求項２の発明によれば、水受け部材の取付部を長手方向に弾性変形することで、一対の開口部が拡開するから、一対の係合部を対応する一対の被係合部に対して簡単かつ短時間で脱着し得る。
【発明の効果】
【００１０】
本発明に係る冷蔵ショーケースによれば、水受け部材を簡単に着脱することができると共に、製造コストを低廉に抑えることができる。
【発明を実施するための最良の形態】
【００１１】
次に、本発明に係る冷蔵ショーケースにつき、好適な実施例を挙げて、添付図面を参照して以下に説明する。
【実施例】
【００１２】
図２に示す如く、実施例の冷蔵ショーケース２０は、生鮮食材や飲料等の物品を冷蔵保存する収納室２２と、この収納室２２を冷却するための圧縮機や凝縮器等の冷却装置が配設される機械室(何れも図示せず)とが隣接して設けられている。収納室２２は、外装と内装との間にウレタンフォーム等の断熱材を充填して断熱構造とされた断熱箱体２４の内部に画成される。そして、冷蔵ショーケース２０をカウンタ等に載置した際に、客先に臨む断熱箱体２４の前側に前面開口部２４ａが開設され、該開口部２４ａに透明なフロントガラス２６が嵌め込まれて、収納室２２の内部が前方外部から見えるようになっている。
【００１３】
前記断熱箱体２４の後面側には、収納室２２に対する物品出入口２４ｂが開設されている。実施例では、物品出入口２４ｂが中柱２８により左右に分けられて２つ形成され、各物品出入口２４ｂには、上下をレール３０,３０で保持された一対のスライド扉３２,３２が左右方向にスライド自在に配設されている。そして、スライド扉３２,３２を左右方向にスライドして物品出入口２４ｂを開放することで、収納室２２に対する物品の出し入れを許容するよう構成される。
【００１４】
前記断熱箱体２４における収納室２２の上側に形成される上部断熱部３４の下面には、冷却プレート３６が配設されている。前記冷却装置に接続する上部冷却器(冷却器)３８が、上部断熱部３４の内部において冷却プレート３６に接触するよう配設され、上部冷却器３８に冷媒を循環供給することで冷却プレート３６を冷却して、収納室２２を間接的に冷却するよう構成される。
【００１５】
前記断熱箱体２４における収納室２２の下側に形成される下部断熱部４０の上面には、収納室２２の底面を画成する底板４２が配設されている。また下部断熱部４０には、前記冷却装置に接続する下部冷却器４４が底板４２と接触するよう蛇行状に配設され、下部冷却器４４に冷媒を循環供給することで底板４２を冷却して、収納室２２を間接的に冷却するようになっている。なお、底板４２は、前記物品出入口２４ｂ側から前面開口部２４ａ側に向けて下方傾斜し、該底板４２に載置された簀の子４６の上に陳列した物品を前側から見易くしている。また、底板４２の傾斜下端側には排水口４２ａが設けられ、この排水口４２ａに接続して下部断熱部４０内に配設された排水管４８を介して、収納室２２内に溜まった水を冷蔵ショーケース２０の外部に排出し得るようになっている。
【００１６】
前記冷却プレート３６は、図２に示す如く、前側から後側に向けて下方傾斜すると共に、後端縁には上方に向けて折曲形成された取付板(取付部材)３６ａが設けられ、該取付板３６ａの上端が断熱箱体２４を構成するトップフレーム５０に係合保持されている。取付板３６ａには、各物品出入口２４ｂに対応する裏面側の夫々に、左右方向に離間して一対の被係合部５２,５２が突設されている(図３,図４参照)。被係合部５２は、図１に示す如く、後端側が開口する有底円筒形状で、その有底部が取付板３６ａにリベット等の固定手段(図示せず)により固定される。なお、被係合部５２は、取付板３６ａから離間するにつれて直径が大きくなるよう設定されて、取付板３６ａに近接する小径部５２ａに、後述する水受け部材５４の係合部５６が係脱自在に係合するようになっている。
【００１７】
前記冷却プレート３６の取付板３６ａには、前記各物品出入口２４ｂに対応する位置に水受け部材５４が着脱自在に配設されている。水受け部材５４は、図２に示す如く、上下方向に延在する取付部５４ａと、該取付部５４ａの下端から前方に延出する水受部５４ｂとから基本的に構成され、取付部５４ａに設けた一対の係合部５６,５６を介して冷却プレート３６の被係合部５２,５２に取付けられるよう構成される。また水受け部材５４は、合成樹脂等の弾性変形可能な材料から形成され、その長手方向(左右方向)において取付部５４ａの上端縁が引張り側となるように弾性変形させて容易に湾曲させ得るようになっている(図３参照)。なお、水受け部材５４の長手方向の寸法は、収納室２２を画成する内部側壁５８(図２に一方のみ図示)と前記中柱２８との離間間隔より僅かに短かく設定されると共に、水受部５４ｂの長手方向の両端は開放している。そして、水受部５４ｂに受入れた結露水や除霜水等の水を、長手方向の両端から内部側壁５８や中柱２８を伝わせて底板４２に流し、前記排水口４２ａおよび排水管４８を介して機外に排出するよう構成される。
【００１８】
前記水受け部材５４における取付部５４ａには、図３または図４に示す如く、長手方向に離間して一対の係合部５６,５６が形成されている。各係合部５６は、取付部５４ａにおける長手方向の中央に向けて斜め上方に向けて開放する切欠きであって、底側に画成される収容部５６ａと、該収容部５６ａに連通すると共に他方の係合部５６側に偏倚して上方に開放する開口部５６ｂと、この開口部５６ｂにおける他方の係合部５６から離間する縁部を構成する係合縁部５６ｃとを有している。前記収容部５６ａの内径は、前記被係合部５２における小径部５２ａの外径と略一致するよう設定され、該収容部５６ａに被係合部の小径部５２ａが収容されるようになっている。なお、実施例の係合部５６,５６は、取付部５４ａの長手方向の中央を挟んで対称となる位置関係で設けられている。
【００１９】
図４に示すように、水受け部材５４を弾性変形していない通常状態において、前記両係合部５６,５６における両開口部５６ｂ,５６ｂの離間間隔Ｌは、一対の被係合部５２,５２の離間間隔Ｌ１(図３参照)より短かく設定される(Ｌ＞Ｌ１)。また、水受け部材５４の通常状態における両収容部５６ａ,５６ａの離間間隔Ｌ２が、一対の被係合部５２,５２の離間間隔Ｌと略一致するよう設定される。そして、図３に示すように水受け部材５４の取付部５４ａを、上端縁が引張り側となるように長手方向に弾性変形させて湾曲することで前記両開口部５６ｂ,５６ｂは拡開し、この拡開状態における両開口部５６ｂ,５６ｂを介して被係合部５２,５２の収容部５６ａ,５６ａに対する挿脱が可能となるよう構成されている。
【００２０】
前記係合縁部５６ｃは、水受け部材５４の通常状態において収容部５６ａの上方に臨んで、該収容部５６ａに収容された被係合部５２の上側に該係合縁部５６ｃが係合するよう構成されている。なお、水受け部材５４の通常状態において、係合縁部５６ｃの先端(開口部側端)は、収容部５６ａにおける左右方向の中央より他方の係合部５６側に延出し、収容部５６ａに収容された被係合部５２を確実に係合保持し得るようになっている。
【００２１】
〔実施例の作用〕
次に、実施例に係る冷蔵ショーケースの作用につき説明する。
前記水受け部材５４を冷却プレート３６に取付ける場合は、図３に示す如く、被係合部５２,５２の下方に臨ませた水受け部材５４を、長手方向の両端部を下側に向けて湾曲するように弾性変形させる。これにより、前記取付部５４ａは、上縁側が引張られると共に下縁側が圧縮されるように弾性変形し、一対の係合部５６,５６における開口部５６ｂ,５６ｂが拡開する。開口部５６ｂ,５６ｂが拡開することで、両開口部５６ｂ,５６ｂの離間間隔が、前記一対の被係合部５２,５２の離間間隔と略一致するまで広がる。従って、そのまま水受け部材５４を上方に移動させれば、被係合部５２,５２が係合縁部５６ｃ,５６ｃに接触することなく係合部５６,５６の収容部５６ａ,５６ａに収容される。そして、水受け部材５４に加えていた力を解除することで、該水受け部材５４が自身の弾性により元の通常状態に戻り、両係合部５６,５６における開口部５６ｂ,５６ｂの離間間隔Ｌが被係合部５２,５２の離間間隔Ｌ１より短かくなることで、前記係合縁部５６ｃ,５６ｃが被係合部５２,５２の上側に係合するに至る(図４参照)。
【００２２】
すなわち、収容部５６ａ,５６ａに被係合部５２,５２の小径部５２ａ,５２ａが収容された状態で、水受け部材５４は冷却プレート３６の取付板３６ａに取付けられる。なお、収容部５６ａの内径は、被係合部５２の小径部５２ａの外径に略一致しているから、水受け部材５４を後側に引張っても、被係合部５２が収容部５６ａから抜けることはない。
【００２３】
前記冷却プレート３６に取付けられた水受け部材５４の水受部５４ｂは、図２に示す如く、該冷却プレート３６の後端部下方に臨み、冷却プレート３６の下面を流下する結露水や除霜水等の水は水受部５４ｂに受入れられる。水受部５４ｂの水は、長手方向に流れ、内部側壁５８や中柱２８を伝わって底板４２に流れ落ち、前記排水口４２ａおよび排水管４８を介して機外に排出される。
【００２４】
清掃等に際して前記水受け部材５４を冷却プレート３６から取外す際には、前述した取付けの場合と同様に、水受け部材５４を長手方向に沿って湾曲するように弾性変形させる。これにより、前記取付部５４ａは、一対の係合部５６,５６における開口部５６ｂ,５６ｂが拡開するように弾性変形するから、この状態で水受け部材５４を下方に移動させれば、係合縁部５６ｃ,５６ｃが被係合部５２,５２に接触することなく係合部５６,５６を離脱させ得る。
【００２５】
すなわち実施例では、水受け部材５４を弾性変形することで係合部５６,５６の開口部５６ｂ,５６ｂを拡開し得るよう構成したから、取付けた際に被係合部５２と係合する係合縁部５６ｃを、被係合部５２に接触させることなく着脱作業を行なうことができる。従って、水受け部材５４の着脱を頻繁に行なうことにより係合縁部５６ｃが摩耗して、取付けた際の被係合部５２に対する係合代が少なくなって脱落し易くなるのは防止される。また、係合縁部５６ｃの形状や突出寸法、あるいは一対の係合部５６,５６の離間間隔は、水受け部材５４を弾性変形することで開口部５６ｂ,５６ｂに対して被係合部５２,５２が挿脱し得るものであればよく、高い寸法精度は要求されないから、製造コストを低廉に抑えることができる。
【００２６】
実施例のように水受け部材５４の長手方向の中央を挟んで係合部５６,５６を対称に設けた場合は、該水受け部材５４を湾曲することで一対の係合部５６,５６の開口部５６ｂ,５６ｂが一度に拡開するから、被係合部５２,５２に対する係脱作業を短時間で簡単に行なうことができる。なお、水受け部材５４の取付けおよび取外しについては、上述したように一対の係合部５６,５６を一度に被係合部５２,５２に係脱するものに限らない。例えば、一方の係合部５６の収容部５６ａに対応する被係合部５２を収容した状態で、水受け部材５４を弾性変形して他方の開口部５６ｂを拡開して対応する被係合部５２を収容部５６ａに収容するようにしてもよい。また、水受け部材５４の取外しについても、水受け部材５４を弾性変形して一方の開口部５６ｂを拡開して対応する被係合部５２を収容部５６ａから離脱した後に、該水受け部材５４を通常状態に戻してから他方の収容部５６ａから被係合部５２を離脱させるものであってもよい。
【００２７】
〔変更例〕
本願は前述した実施例の構成に限定されるものでなく、その他の構成を適宜に採用することができる。
１． 実施例では、係合部の形状について、開口部が長手方向の中央に向けて斜めに開放するよう形成したが、これに限定されるものでなく、水受け部材を弾性変形することで開口部が拡開して、被係合部の収容部に対する挿脱が許容されるものであれば、各種形態を採用し得る。例えば、図５に示すように、上下方向に延在する縦溝と左右方向に延在する横溝とを連設することで、全体として正面視においてＬ字状となるように係合部５６を形成し、開口部５６ｂを上方に向けて真っ直ぐに開放するものであってもよい。この場合に、横溝の縦溝と連通しない端部側が収容部５６ａとなり、縦溝の外側(他方の係合部５６から離間する側)および横溝の上側を画成する部分が係合縁部５６ｃとなる。また水受け部材５４の常通状態において、一対の収容部５６ａ,５６ａの離間間隔を、一対の被係合部５２,５２の離間間隔に略一致させると共に、開口部５６ｂ,５６ｂの離間間隔を、一対の被係合部５２,５２の離間間隔よりも短かく設定する。そして、水受け部材５４を弾性変形して開口部５６ｂ,５６ｂを拡開することで、一対の被係合部５２,５２の収容部５６ａ,５６ａに対する挿脱が許容されるよう構成してある。
２． 実施例では、水受け部材を、弾性変形可能な樹脂製としたが、弾性変形可能なものであれば、例えば金属製の薄板で形成したものであってもよい。
３． 実施例では、収納室に配設した冷却プレートに設けた取付板に水受け部材を取付けるよう構成したが、該水受け部材が取付けられる取付部材は、冷却プレートとは別体のものであってもよく、収納室内に発生した結露水や除霜水を受けることが可能な位置に水受け部材を着脱自在に取付けられるものであれば、例えば上側のレールあるいトップフレームに直に取付けるようにしてもよい。
４． 実施例では、被係合部として後端側が開口する有底円筒形状で、取付板から離間するにつれて直径が大きくなる形状としたが、この構成に限定されるものではなく、ボルトやネジ等のように軸部より頭部が大径な部材、あるいは直径のピン等、係合部の収容部に収容保持可能なものであればよい。
５． 実施例では、水受け部材の水受部で受けた水を、内部側壁や中柱に伝わせて底板に流すようにしているが、水受部に排水管を着脱自在に接続して水を機外に排出するよう構成してもよい。
【図面の簡単な説明】
【００２８】
【図１】実施例に係る冷蔵ショーケースに配設される水受け部材を示す要部概略斜視図である。
【図２】実施例に係る冷蔵ショーケースを示す概略縦断側面図である。
【図３】実施例に係る水受け部材を、弾性変形させた状態で示す正面図である。
【図４】実施例に係る水受け部材を、弾性変形させていない通常状態で示す正面図である。
【図５】変更例に係る水受け部材を示す正面図である。
【図６】従来例に係る水受け部材を取付板に取付ける前の状態で示す概略斜視図である。
【図７】従来例に係る水受け部材の係合部に被係合突起を係合した状態を示す要部正面図である。
【符号の説明】
【００２９】
２２ 収納室，３６ａ 取付板(取付部材)，５２ 被係合部，５４ 水受け部材
５４ａ 取付部，５４ｂ 水受部，５６ 係合部，５６ａ 収容部，５６ｂ 開口部
５６ｃ 係合縁部
【図１】
2008202837.tif 000003
【図２】
2008202837.tif 000004
【図３】
2008202837.tif 000005
【図４】
2008202837.tif 000006
【図５】
2008202837.tif 000007
【図６】
2008202837.tif 000008
【図７】
2008202837.tif 000009